(57)【特許請求の範囲】
【請求項１】
メモリから再生された撮影静止画像データに基づく撮影静止画像を低輝度で映像モニタに表示し、前記映像モニタに表示される撮影静止画像にキャラクタを多重するディジタルカメラにおいて、
前記映像モニタに表示される撮影静止画像の輝度レベルを調整する調整手段、
前記映像モニタに表示されている撮影静止画像を別の撮影静止画像に更新する更新手段、
前記更新手段による更新の開始時に前記輝度レベルの上昇を前記調整手段に命令する第１命令手段、および
前記更新手段による更新の完了時に前記輝度レベルの低下を前記調整手段に命令する第２命令手段を備えることを特徴とする、ディジタルカメラ。
【請求項２】
前記撮影静止画像データは圧縮状態で前記メモリに記録される、請求項１記載のディジタルカメラ。
【請求項３】
前記映像モニタに表示されている撮影静止画像に対応する撮影静止画像データを消去する消去手段をさらに備え、
前記更新手段は前記消去手段によって前記撮影静止画像データが消去されたとき更新を行う、請求項１または２記載のディジタルカメラ。
【請求項４】
前記映像モニタに表示される撮影静止画像の更新を指示する指示手段をさらに備え、
前記更新手段は前記指示手段の出力に応答して更新を行う、請求項１ないし３のいずれかに記載のディジタルカメラ。
【発明の詳細な説明】
【０００１】
【産業上の利用分野】
この発明はディジタルカメラに関し、特にたとえばＬＣＤに表示されている撮影画像にキャラクタ表示命令に応じてキャラクタを多重する、ディジタルカメラに関する。
【０００２】
【従来の技術】
従来のこの種のディジタルカメラでは、ＬＣＤに表示された撮影画像にアイコンなどのキャラクタを多重表示する場合、キャラクタおよび撮影画像のいずれも同じ輝度で表示されていた。
【０００３】
【発明が解決しようとする課題】
しかし、これではキャラクタと撮影画像とを区別しにくく、キャラクタの認識が困難であるという問題点があった。
それゆえに、この発明の主たる目的は、撮影画像に多重されたキャラクタを容易に認識することができる、ディジタルカメラを提供することである。
【０００４】
【課題を解決するための手段】
この発明に従うディジタルカメラは、メモリから再生された撮影静止画像データに基づく撮影静止画像を低輝度で映像モニタに表示し、映像モニタに表示される撮影静止画像にキャラクタを多重するディジタルカメラにおいて、映像モニタに表示される撮影静止画像の輝度レベルを調整する調整手段、映像モニタに表示されている撮影静止画像を別の撮影静止画像に更新する更新手段、更新手段による更新の開始時に輝度レベルの上昇を調整手段に命令する第１命令手段、および更新手段による更新の完了時に輝度レベルの低下を調整手段に命令する第２命令手段を備えることを特徴とする。
【０００５】
【作用】
本体に設けられたＬＣＤにメモリから再生された撮影画像が表示されているときに、オペレータがメニューボタンを操作すると、その撮影画像にメニューを示すキャラクタが多重されるとともに、表示されている撮影画像の輝度が低下する。
【０００６】
なお、オペレータが画像切換ボタンを操作すれば、表示されている撮影画像が所望の撮影画像によって更新される。更新期間中は撮影画像の輝度が元のレベルまで上昇し、更新が完了すると撮影画像の輝度は再び低下する。
【０００７】
【発明の効果】
この発明によれば、キャラクタの表示命令に応じて、映像モニタに表示されている撮影画像の輝度を低下させるようにしたため、キャラクタの認識を容易にすることができる。
この発明の上述の目的，その他の目的，特徴および利点は、図面を参照して行う以下の実施例の詳細な説明から一層明らかとなろう。
【０００８】
【実施例】
図１を参照して、この実施例のディジタルカメラ１０は、本体１２の背面に設けられかつ撮影画像を表示するＬＣＤ１４を含む。ＬＣＤ１４の右上には画像切換ボタン１６が設けられている。再生モードにおいて図８に示すメモリカード７０から所望の撮影画像（静止画）が再生されているときに、この画像切換ボタン１６を操作すれば、ＬＣＤ１４に表示される撮影画像が更新される。つまり、＋ボタン１６ａを１回押せば、現撮影画像に続く撮影画像がメモリカード７０から再生され、−ボタン１６ｂを１回押せば、現撮影画像に先行する撮影画像がメモリカード７０から再生される。一方、カメラモードでは、リアルタイムの撮影画像（動画像）がＬＣＤ１４に表示されるとともに、本体１２の上面に設けられたシャッタボタン２２が操作されたとき、撮影画像がメモリカード７０に記録される。なお、上述のように、“撮影画像”にはカメラモードで撮影されたリアルタイムの動画像の他に、再生モードでメモリカード７０から再生された静止画像も含まれる。
【０００９】
本体１２の右側面にはメインスイッチ１８が設けられている。このメインスイッチ１８は図２（Ａ）に示すように形成され、側面に記されている目盛り２０に“ＯＦＦ”が合わせられると、電源がオフされる。また、目盛り２０に“ＰＬＡＹ”が合わせられると再生モードが設定され、目盛り２０に“ＲＥＣ”が合わせられるとカメラモードが設定される。
【００１０】
本体１２の側面にはまた、図２（Ｂ）に示すようなダイヤル式のメニューボタン２４が設けられる。このメニューボタン２４が本体１２方向に１回押されると、ＬＣＤ１４にメニューを示すアイコンが多重表示される。また、メニューボタン２４を左方向に回転させると、カーソルが右から左あるいは下から上に移動し、メニューボタン２４を右方向に回転させると、カーソルが左から右にあるいは上から下に移動する。カーソルが所望のアイコンを指しているときにメニューボタン２４が押されると、そのカーソルが示すアイコンが選択される。
【００１１】
メニューボタン２４を操作したときの動作について詳しく説明すると、カメラモードでは図３に示すアイコンが表示される。メニューボタン２４が１回押された時点で、まず図３（Ａ）に示すように、解像度を選択するアイコンおよびフラッシュモードを選択するアイコンが表示され、カーソルはまず解像度のアイコンを指す。メニューボタン２４を右方向に回転させると、図３（Ｂ）に示すように、カーソルはフラッシュモードのアイコンを指し、この状態でメニューボタン２４を押せばフラッシュモードが設定される。つまり、シャッタボタン２２を押すときにフラッシュがたかれる。メニューボタン２４を左方向に回すと、カーソルは図３（Ａ）に示す位置に戻り、このときにメニューボタン２４を押せば、図３（Ｃ）に示すように異なる解像度を示す複数のアイコンが表示される。したがって、メニューボタン２４を回転させて、カーソルが所望のアイコンを指したときにメニューボタン２４を押せば、所望の解像度が設定される。
【００１２】
カメラモードにおいてはこのようにメニューが表示され、ＬＣＤ１４に表示されている撮影画像（動画像）の輝度は、メニューが表示される間低下される。つまり、メニューボタン２４の操作に応じてメニューがＬＣＤ１４に多重表示されるまでは撮影画像の輝度は標準レベルにあるが、メニューボタン２４が押されると、図３（Ａ）に示すアイコンが表示されるとともに、撮影画像の輝度レベルが低下する。図１に示すようにＬＣＤ１４の左下に設けられた解除ボタン２６が押されると、メニュー表示が解除され、撮影画像の輝度は標準レベルに戻る。
【００１３】
このように、アイコンや文字のようなキャラクタが表示されるときは撮影画像の輝度レベルが低下するため、キャラクタと撮影画像とが明確に区別され、キャラクタを容易に認識することができる。
再生モードにおいて図４（Ａ）に示すような人物の撮影画像（静止画像）がＬＣＤ１４に表示されているときに、メニューボタン２４が押されると、ＬＣＤ１４の左上に“ごみ箱”のアイコンと“鍵”のアイコンとが表示される。再生モードでも、このようなメニューの表示と同時に撮影画像の輝度が低下される。メニューボタン２４を回転させることによって、カーソルは２つのアイコンの間を移動する。カーソルが“ごみ箱”のアイコンを指しているときにメニューボタン２４が押されると、消去モードが設定される。一方、カーソルが“鍵”のアイコンを指しているときにメニューボタン２４が押されると、プロテクトモードが設定される。
【００１４】
消去モードが選択されると、図５（Ａ）に示すように、現再生画像を消去するかどうかを問う文字および撮影日時を示す文字がＬＣＤ１４に表示される。なお、このときも撮影画像の輝度レベルは低下したままである。メニューボタン２４を回転させることによってカーソルを“ＮＯ”側に移動させ、かつメニューボタン２４を押せば、撮影画像は消去されることなく表示状態が図４（Ａ）に戻る。一方、カーソルが“ＹＥＳ”を指している状態でメニューボタン２４が押されると、図５（Ｃ）に示すように消去中であることを示す文字がＬＣＤ１４に表示され、その後図６に示す要領で更新画像およびメニューが表示される。
【００１５】
つまり、画像データの消去が完了するまで図５（Ｃ）に示す表示が維持され、消去が完了すると、文字の表示が中止される。つまり、ＬＣＤ１４には黒い画像が表示される。その後、図６（Ａ）に示すように次の撮影画像の描画が開始される。メモリカード７０にはＪＰＥＧ方式で圧縮された圧縮画像データが記録されており、この画像データの伸長処理に時間がかかるため、次の撮影画像は上から少しずつ表示されていく。このとき、撮影画像の輝度は標準レベルまで上昇している。更新が完了すると、表示状態が図６（Ｂ）から図６（Ｃ）に切り換わる。つまり、撮影画像の輝度が再び低下し、ＬＣＤ１４の左上に“ごみ箱”および“鍵”のアイコンが表示される。
【００１６】
なお、再生画像にプロテクトがかけられているときは、ＬＣＤ１４の右上に図５（Ａ）および（Ｂ）に示すように鍵マークが表示される。このときはメニューボタン２４を押しても画像データが消去されることはない。また、図４（Ａ）および（Ｂ）あるいは図５（Ａ）および（Ｂ）の状態で画像切換ボタン１６を操作すれば、ＬＣＤ１４に表示される撮影画像が切り換えられる。このときも図６に示す要領で画像が更新される。
【００１７】
プロテクトモードが選択されると、ＬＣＤ１４には図７（Ａ）に示すように、プロテクトをかけるかどうかを問う文字ならびに表示されている画像が撮影された日付を示す文字が表示される。カーソルを“ＹＥＳ”に合わせかつメニューボタン２４を押せば、表示されている撮影画像にプロテクトがかけられるとともに、ＬＣＤ１４の右上に図７（Ｃ）に示すように、プロテクト状態を示す鍵マークが表示される。この鍵マークが表示されている状態で図７（Ｂ）に示すようにカーソルを“ＮＯ”に合わせ、かつメニューボタン２４を押せば、プロテクトが解除され、鍵マークが表示されなくなる。
【００１８】
プロテクトの設定が終了した後に画像切換ボタン１６を操作すれば、図６に示す要領で画像が更新される。つまり、まず始めに黒画像がＬＣＤ１４に表示され、その後標準レベルの輝度をもつ更新画像が上から少しずつ描画されていく。そして、描画が完了すると輝度レベルが低下し、“ごみ箱”および“鍵”のアイコンが表示される。なお、画像の切り換えは図４（Ａ）および（Ｂ）ならびに図７（Ａ）および（Ｂ）に示す表示状態でも可能である。
【００１９】
このように、再生モードにおいても、キャラクタが表示される間、撮影画像の輝度が低下するため、キャラクタを容易に認識することができる。
ディジタルカメラ１０は、具体的には図８に示すように構成される。つまり、被写体の光像は、レンズ３０およびモザイク型の補色フィルタ３２を介して、ＣＣＤイメージャ３４に照射される。カメラモードでは、ＣＣＤイメージャ３４は周知の画素混合読み出しを行い、これによって得られた画素信号がＣＤＳ／ＡＧＣ回路３６に与えられる。ＣＤＳ／ＡＧＣ回路３６は、入力された画素信号に周知のノイズ除去およびレベル調整を施す。このＣＤＳ／ＡＧＣ回路３６によって処理された画素信号は、Ａ／Ｄ変換器３８によってディジタルデータすなわち画素データに変換され、この画素データに第１信号処理回路４０によって色分離およびＹＵＶ変換が施される。
【００２０】
カメラモードにおいて、システムコントローラ６６はセレクタ４４に入力端子４４ａを選択させる。したがって、第１信号処理回路４０で得られたＹＵＶデータは、バス４２および７４を介してＤＲＡＭ４８のメモリエリア４８ａに書き込まれ、その後バス５０を介して第２信号処理回路５２に出力される。第２信号処理回路５２は、入力されたＹＵＶデータからＣデータおよびＹデータを生成し、ＣデータをＤ／Ａ変換器５８に与えるとともに、Ｙデータを輝度調整回路５４に与える。輝度調整回路５４はＣＰＵ４６によって制御され、これによって所望の輝度レベルをもつＹデータがスイッチＳＷ１を介してＤ／Ａ変換器６０に与えられる。一方、キャラクタジェネレータ５６は、図３および図４に示すアイコン、図５および図７に示す鍵マーク、図５および図７に示す文字などのキャラクタデータを出力する。スイッチＳＷ１には、このキャラクタデータも与えられ、スイッチＳＷ１はＣＰＵ２８の制御に従ってＹデータおよびキャラクタデータのいずれか一方を選択する。Ｄ／Ａ変換器５８から出力されたＣデータならびにＤ／Ａ変換器６０から出力されたＹデータまたはキャラクタデータは、加算器６６で加算され、加算器６６の出力が、端子６２から出力されるとともに、ＬＣＤ１４に動画入力される。したがって、ＬＣＤ１４に撮影画像ならびにアイコンや文字などのキャラクタが同時に表示される。
【００２１】
オペレータによってシャッタボタン２２が押されると、システムコントローラ６６は、いわゆる全画素読み出しを行うようにＣＣＤイメージャ３４を制御する。これによってＣＣＤイメージャ３４は１ライン毎に画素信号を出力する。ＣＤＳ／ＡＧＣ回路３６は、上述と同様に画素信号にノイズ除去およびレベル調整を施し、Ａ／Ｄ変換器３８はＣＤＳ／ＡＧＣ回路３６からの画素信号をディジタルデータすなわち画素データに変換する。ＣＣＤイメージャ３４は１フレーム分の画素信号を出力した後不能化され、Ａ／Ｄ変換器３８で生成された１フレーム分の画素データつまり静止画の撮影画像データは、第１信号処理回路４０で処理されることなく、直接バス４２に与えられる。セレクタ４４はこのとき端子４４ａ側を選択しているため、この撮影画像データがメモリエリア４８ａに書き込まれる。ＣＰＵ４６は、メモリエリア４８ａの撮影画像データをワークエリア４８ｂを用いてＹＵＶ変換するとともに、変換後のＹＵＶデータすなわち撮影画像データをＪＰＥＧフォーマットに従って圧縮し、圧縮画像データをバス７２および６８を介してメモリカード７０に記録する。
【００２２】
メインスイッチ１８によって再生モードが設定されると、セレクタ４４は端子４４ｂを選択する。このため、ＣＰＵ４６は所望の圧縮画像データを読み出し、ワークエリア４８ｂを用いてその圧縮画像データを伸長する。伸長された撮影画像データ（ＹＵＶデータ）はメモリエリア４８ａに展開され、その後読み出される。第２信号処理回路５２以降は上述と同様に動作し、これによって所望の撮影画像（再生画像）および所望のキャラクタがＬＣＤ１４に表示される。
【００２３】
ＣＰＵ４６は、カメラモードにおいて図９に示すフロー図を処理する。つまり、まずステップＳ１でたとえば図３に示すような被写体の動画像を標準の輝度レベルで表示し、次にステップＳ３でメニューボタン２４が押されたかどうか判断する。そして、“ＮＯ”であればこの状態を維持するが、“ＹＥＳ”であればステップＳ５で輝度調整回路５４を制御して輝度レベルを落とし、次にステップＳ７で図３（Ａ）に示すメニューをＬＣＤ１４に表示する。具体的には、ＣＰＵ４６は、キャラクタジェネレータ５６から解像度を示すアイコンのキャラクタデータおよびフラッシュモードを示すアイコンのキャラクタデータが出力されるときだけ、つまりアイコンを表示すべきときだけ、スイッチＳＷ１をキャラクタジェネレータ５６側に接続する。これによって、ＬＣＤ１４に図３（Ａ）に示すようなアイコンならびに輝度レベルが低下した被写体像が映し出される。
【００２４】
ＣＰＵ４６は、続いてステップＳ９でフラッシュモードまたは所望の解像度モードが選択されたかどうか判断し、“ＹＥＳ”であれば、ステップＳ１１でそのモードを設定しステップＳ１５に進む。そして、ステップＳ１５でメニュー表示を中止し、ステップＳ１７で輝度レベルを上げ、ステップＳ３に戻る。具体的には、ＣＰＵ４６は、ステップＳ１５においてスイッチＳＷ１を常に輝度調整回路５４側に接続し、ステップＳ１７で輝度調整回路５４を制御して輝度レベルを標準レベルに戻す。一方、ステップＳ９で“ＮＯ”であれば、ステップＳ１３で解除ボタン２６が押されたかどうか判断する。ここで“ＮＯ”であればステップＳ９に戻るが、“ＹＥＳ”であればステップＳ１５に進む。
【００２５】
したがって、図３（Ａ）に示す画像が表示されているときにモードが設定されるか解除ボタン２６が押されると、アイコンの表示が消え、輝度レベルが上昇した動画像のみが表示される。
ＣＰＵ４６は、再生モードにおいて図１０ないし図１３に示すフロー図を処理する。すなわち、まずステップＳ２１でたとえば図４に示すような静止画の再生画像を標準の輝度レベルで表示し、次にステップＳ２３でメニューボタン２４が押されたかどうか判断する。ここで“ＮＯ”であれば、ステップＳ２５で画像切換ボタン１６が操作されたかどうか判断し、“ＮＯ”であればステップＳ２３に戻る。ただし、ステップＳ２７で“ＹＥＳ”であれば、ステップＳ２７で更新画像をＬＣＤ１４に表示し、ステップＳ２３に戻る。
【００２６】
ステップＳ２３で“ＹＥＳ”であれば、ステップＳ２９で再生画像の輝度レベルを落とし、ステップＳ３１で“ごみ箱”および“鍵”のアイコンをＬＣＤ１４の左上に表示する。したがって、ＬＣＤ１４には図４（Ａ）に示すような画像が表示される。具体的には、上述と同様に、この２つのアイコンのキャラクタデータがキャラクタジェネレータ５６から出力されるときだけ、スイッチＳＷ１をキャラクタジェネレータ５６側に接続する。
【００２７】
ステップＳ３３では、ＣＰＵ４６は消去モードが選択されたかどうか判断する。ここで“ＹＥＳ”であれば、ＣＰＵ４６はステップＳ３５で図５（Ａ）に示す文字データを出力し、ステップＳ３７でＬＣＤ１４に表示されている“ＮＯ”が選択されたかどうか判断する。そして“ＹＥＳ”であればステップＳ３１に戻り、これによって図４（Ａ）に示す画像が再びＬＣＤ１４に表示される。一方、ステップＳ３７で“ＮＯ”であれば、ステップＳ３９に移行する。ステップＳ３９ではＬＣＤ１４に表示されている“ＹＥＳ”が選択されたかどうかを判断し、続くステップＳ４１では現再生画像にプロテクトがかかっているかどうかを判断する。ステップＳ３９で“ＹＥＳ”でかつステップＳ４１で“ＮＯ”であれば、ステップＳ４５で図５（Ｃ）に示す文字データを表示し、ステップＳ４７で画像データの消去が完了したと判断された後に、ステップＳ４９でＬＣＤ１４に黒画像を表示する。ステップＳ４９では、ＣＰＵ４６はメモリエリア４８ａに黒画像のデータを上書きするとともに、この黒画像データを読み出す。
【００２８】
その後、ステップＳ５１で輝度調整回路５４を制御して輝度レベルを標準レベルまで上昇させ、ステップＳ５３で次の撮影画像の表示を開始する。上述のように、メモリカード７０にはＪＰＥＧ方式で圧縮された画像データが記録されているため、この画像データの伸長には時間がかかり、このため次の撮影画像はＬＣＤ１４の上方から少しずつ表示される。ステップＳ５５では撮影画像の表示が完了したかどうか判断し、“ＹＥＳ”であれば、ステップＳ５７でこの画像の輝度レベルを落とし、ステップＳ３１に戻る。このようなステップＳ４９〜Ｓ５７およびＳ３１の処理によって、ＬＣＤ１４には図６（Ａ）〜（Ｃ）に示す要領で画像が表示される。
【００２９】
ステップＳ３９で“ＮＯ”と判断されるかあるいはステップＳ４１で“ＹＥＳ”と判断されると、ＣＰＵ４６はステップＳ４３で画像切換ボタン１６が操作されたかどうか判断する。ここで“ＮＯ”であればステップＳ３７に戻るが、“ＹＥＳ”であれば、ステップＳ７９でＬＣＤ１４に黒画像を表示し、次にステップＳ８１で再生画像の輝度レベルを標準レベルに戻す。そして、ステップＳ８３で所望の画像の表示を開始し、ステップＳ８５で表示が完了したと判断されると、ステップＳ８７で輝度レベルを低下させステップＳ３１に戻る。つまり、図５（Ａ）または図５（Ｂ）に示す状態で画像切換ボタン１６が操作されると、図６（Ａ）〜（Ｃ）に示す要領で所望の再生画像およびアイコンが表示される。
【００３０】
ステップＳ３３で“ＮＯ”と判断されると、ＣＰＵ４６はステップＳ５９でプロテクトモードが選択されたかどうか判断する。ここで“ＹＥＳ”であれば、つまり図４（Ｂ）に示す状態でメニューボタン２４が押されれば、ＣＰＵ４６はステップＳ６７で図７（Ａ）に示す文字データを出力する。続いて、ステップＳ６９でＬＣＤ１４に表示された“ＹＥＳ”が選択されたかどうか判断し、“ＹＥＳ”であればステップＳ７１で図７（Ｃ）に示すようにＬＣＤ１４の右上に鍵マークを表示しステップＳ３１に戻るが、ステップＳ６９で“ＮＯ”であれば、ステップＳ７３でＬＣＤ１４に表示された“ＮＯ”が選択されたかどうか判断する。そして、“ＹＥＳ”であれば、ステップＳ７５で鍵マークの表示を中止しステップＳ３１に戻る。ステップＳ７３で“ＮＯ”であれば、ステップＳ７７で画像切換ボタン１６が操作されたかどうか判断し、“ＮＯ”であればステップＳ６９に戻るが、“ＹＥＳ”であればステップＳ７９に進む。したがって、ステップＳ７９以降の処理によって、ＬＣＤには図６（Ａ）〜（Ｃ）に示す要領で画像が表示される。
【００３１】
ステップＳ５９で“ＮＯ”であれば、ＣＰＵ４６はステップＳ６１で解除ボタン２６が押されたかどうか判断する。ここで“ＮＯ”であれば、ＣＰＵ４６は処理をステップＳ３３に戻すが、“ＹＥＳ”であれば、ステップＳ６３でメニューの表示を中止しかつステップＳ６５で輝度レベルを標準レベルまで上げ、処理をステップＳ２３に戻す。したがって、解除ボタン２６が押されると、図５に示す人物の画像のみが標準の輝度レベルで表示される。
【００３２】
なお、この発明のディジタルカメラは、静止画像のみを記録するいわゆるディジタルスチルカメラだけでなく、動画像を記録するいわゆるビデオムービにも適用できることはもちろんである。また、この実施例ではキャラクタデータと画像のＹデータとを合成するのにスイッチＳＷ１を用いたが、スイッチＳＷ１の代わりに加算器を用いてもよい。
【図面の簡単な説明】
【図１】この発明の一実施例を示す図解図である。
【図２】（Ａ）はメインスイッチを示す図解図であり、（Ｂ）はメニューボタンを示す図解図である。
【図３】カメラモードにおける図１実施例の動作の一部を示す図解図である。
【図４】再生モードにおける図１実施例の動作の一部を示す図解図である。
【図５】消去モードにおける図１実施例の動作の一部を示す図解図である。
【図６】消去モードおよびプロテクトモードにおける図１実施例の動作の一部を示す図解図である。
【図７】プロテクトモードにおける図１実施例の動作の一部を示す図解図である。
【図８】図１実施例を示すブロック図である。
【図９】カメラモードにおける図１実施例の動作の一部を示すフロー図である。
【図１０】再生モードにおける図１実施例の動作の一部を示すフロー図である。
【図１１】再生モードにおける図１実施例の動作の他の一部を示すフロー図である。
【図１２】再生モードにおける図１実施例の動作のその他の一部を示すフロー図である。
【図１３】再生モードにおける図１実施例の動作のさらにその他の一部を示すフロー図である。
【符号の説明】
１０  …ディジタルカメラ
１４  …ＬＣＤ
１６  …画像切換ボタン
１８  …メインスイッチ
２２  …シャッタボタン
２４  …メニューボタン
２６  …解除ボタン
【図１】
0003599973.tif 000002
【図２】
0003599973.tif 000003
【図３】
0003599973.tif 000004
【図４】
0003599973.tif 000005
【図５】
0003599973.tif 000006
【図６】
0003599973.tif 000007
【図７】
0003599973.tif 000008
【図８】
0003599973.tif 000009
【図９】
0003599973.tif 000010
【図１０】
0003599973.tif 000011
【図１１】
0003599973.tif 000012
【図１２】
0003599973.tif 000013
【図１３】
0003599973.tif 000014